(57)【要約】【課題】多重露光方式を採用した発光装置において発光制御信号の転送レートの増大を防止する。【解決手段】制御回路２０は、書込期間ＴWにおいては、第１駆動トランジスタTd1のゲートと第２駆動トランジスタTd2のゲートとを非導通状態にしたうえで、データ電位Ｖｄ[１]を第１駆動トランジスタTd1のゲートに供給し、その後の転送期間においては、第１駆動トランジスタTd1のゲートと第２駆動トランジスタTd2のゲートとを導通させて、第１保持容量Ｃ１に保持されているデータ電位Ｖｄ[１]を第２保持容量Ｃ２へ転送する。すなわち、制御回路２０は、各単位期間（Ｔ１〜Ｔ３）において、データ線２３[１]に対するデータ電位Ｖｄ[１]の供給を１回行うだけで、第１の発光素子Ｅ１１および第２の発光素子Ｅ２１の各々の発光を制御することができる。【選択図】      図３
2011213082.tif 000002
【特許請求の範囲】
【請求項１】
第１および第２の発光素子と、
各々が、ゲート電位に応じて駆動電流を出力する第１および第２駆動トランジスタと、
前記第１駆動トランジスタのゲートの電位を保持するための第１保持容量と、
前記第２駆動トランジスタのゲートの電位を保持するための第２保持容量と、
前記第１駆動トランジスタのゲートとデータ線との間に設けられ、前記第１駆動トランジスタのゲートと前記データ線との導通および非導通を切り替えるための第１スイッチング素子と、
前記第２駆動トランジスタのゲートと前記第１駆動トランジスタのゲートとの間に設けられ、前記第２駆動トランジスタのゲートと前記第１駆動トランジスタのゲートとの導通および非導通を切り替えるための第２スイッチング素子と、
書込期間において、前記第１スイッチング素子をオン状態、前記第２スイッチング素子をオフ状態に設定するとともに、画像データに応じたデータ電位を前記データ線に供給し、
前記書込期間の後の転送期間において、前記第１スイッチング素子をオフ状態、前記第２スイッチング素子をオン状態に設定する制御部と、を備える、
ことを特徴とする発光装置。
【請求項２】
前記第２保持容量の一方の電極と、他方の電極との導通および非導通を切り替えるためのリセットトランジスタをさらに備え、
前記制御部は、
前記書込期間の後の期間であって、前記転送期間の直前の初期化期間において、前記第２スイッチング素子をオフ状態、前記リセットトランジスタをオン状態に設定する、
ことを特徴とする請求項１に記載の発光装置。
【請求項３】
第１および第２の発光素子と、
各々が、ゲート電位に応じて駆動電流を出力する第１および第２駆動トランジスタと、
前記第１駆動トランジスタのゲートの電位を保持するための第１保持容量と、
第１電極と、前記第２駆動トランジスタのソースに接続される第２電極とを有し、前記第２駆動トランジスタのゲートの電位を保持するための第２保持容量と、
前記第１駆動トランジスタのゲートとデータ線との間に設けられ、前記第１駆動トランジスタのゲートと前記データ線との導通および非導通を切り替えるための第１スイッチング素子と、
前記第１駆動トランジスタのゲートと前記第１電極との間に設けられ、前記第１駆動トランジスタのゲートと前記第１電極との導通および非導通を切り替えるための第２スイッチング素子と、
前記第２駆動トランジスタのゲートと前記第１電極との間に設けられ、前記第２駆動トランジスタのゲートと前記第１電極との導通および非導通を切り替えるための第３スイッチング素子と、
第１書込期間において、前記第１スイッチング素子をオン状態、前記第２スイッチング素子および前記第３スイッチング素子をオフ状態に設定するとともに、画像データに応じたデータ電位を前記データ線に供給し、
前記第１書込期間の後の転送期間において、前記第１スイッチング素子および前記第３スイッチング素子をオフ状態、前記第２スイッチング素子をオン状態に設定し、
前記転送期間の後の設定期間において、前記第１スイッチング素子および前記第２スイッチング素子をオフ状態、前記第３スイッチング素子をオン状態に設定する制御部と、を備える、
ことを特徴とする発光装置。
【請求項４】
前記第１および前記第２の発光素子の各々からの出射光は、同一の被露光面に異なるタイミングで照射される、
ことを特徴とする請求項１から請求項３の何れかに記載の発光装置。
【請求項５】
請求項１から請求項４の何れかの発光装置を具備する電子機器。
【請求項６】
第１および第２の発光素子と、各々が、ゲート電位に応じて駆動電流を出力する第１および第２駆動トランジスタと、前記第１駆動トランジスタのゲートの電位を保持するための第１保持容量と、前記第２駆動トランジスタのゲートの電位を保持するための第２保持容量と、を備える発光装置の駆動方法であって、
書込期間において、前記第１駆動トランジスタのゲートと前記第２駆動トランジスタのゲートとを非導通状態にしたうえで、画像データに応じたデータ電位を前記第１駆動トランジスタのゲートに供給し、
前記書込期間の後の転送期間において、前記第１駆動トランジスタのゲートと前記第２駆動トランジスタのゲートとを導通させて、前記第１保持容量に保持されている前記データ電位を前記第２保持容量へ転送する、
ことを特徴とする駆動方法。
【発明の詳細な説明】
【技術分野】
【０００１】
本発明は、発光装置および電子機器、発光装置の駆動方法に関する。
【背景技術】
【０００２】
複数の発光素子が配列された発光装置を感光体ドラムなどの像担持体の露光に利用した電子写真方式の画像形成装置が従来から提案されている。例えば特許文献１には、複数の発光素子を主走査方向に沿って配置した発光ラインを２行分設け、一方の発光ラインに属する各発光素子（第１の発光素子）からの出射光と他方の発光ラインに属する各発光素子（第２の発光素子）からの出射光とで像担持体の被露光面を多重露光する技術が開示されている。
【０００３】
特許文献１に開示された発光装置（露光ヘッド）は、第１の発光素子と第２の発光素子とで各々が構成される複数の組の各々を駆動するための複数の処理ユニットと、各処理ユニットを制御する制御回路とを備える。制御回路には、各発光素子の発光を制御するための発光制御信号が外部から供給される。制御回路は、外部から供給される発光制御信号を各処理ユニットに供給（転送）する。各処理ユニットは、制御回路から供給される発光制御信号に応じた駆動電流を生成するという具合である。
【先行技術文献】
【特許文献】
【０００４】
【特許文献１】特開２００８−８０６０８号公報
【発明の概要】
【発明が解決しようとする課題】
【０００５】
上述の制御回路は、各処理ユニットに対して、当該処理ユニットに対応する組に属する第１の発光素子の発光制御信号と、当該組に属する第２の発光素子の発光制御信号とを供給する。すなわち、制御回路は、多重露光しない構成に比べて、２倍の発光制御信号を供給（転送）することになるので、発光制御信号の転送レートが増大するという問題が発生する。
本発明は、このような事情に鑑みてなされたものであり、多重露光方式を採用した発光装置において発光制御信号の転送レートの増大を防止することを目的とする。
【課題を解決するための手段】
【０００６】
以上の課題を解決するために、本発明に係る発光装置は、第１および第２の発光素子と、各々が、ゲート電位に応じて駆動電流を出力する第１および第２駆動トランジスタと、第１駆動トランジスタのゲートの電位を保持するための第１保持容量と、第２駆動トランジスタのゲートの電位を保持するための第２保持容量と、第１駆動トランジスタのゲートとデータ線との間に設けられ、第１駆動トランジスタのゲートとデータ線との導通および非導通を切り替えるための第１スイッチング素子と、第２駆動トランジスタのゲートと第１駆動トランジスタのゲートとの間に設けられ、第２駆動トランジスタのゲートと第１駆動トランジスタのゲートとの導通および非導通を切り替えるための第２スイッチング素子と、書込期間において、第１スイッチング素子をオン状態、第２スイッチング素子をオフ状態に設定するとともに、画像データに応じたデータ電位をデータ線に供給し、書込期間の後の転送期間において、第１スイッチング素子をオフ状態、第２スイッチング素子をオン状態に設定する制御部と、を備えることを特徴とする。
【０００７】
本発明の制御回路は、書込期間においては、第１駆動トランジスタのゲートと第２駆動トランジスタのゲートとを非導通状態にしたうえで、画像データに応じたデータ電位を第１駆動トランジスタのゲートに供給し、その後の転送期間においては、第１駆動トランジスタのゲートと第２駆動トランジスタのゲートとを導通させて、第１保持容量に保持されているデータ電位を第２保持容量へ転送する。すなわち、制御回路は、データ線に対するデータ電位（発光制御信号）の供給を１回行うだけで、第１の発光素子および第２の発光素子の各々の発光を制御することができるから、発光制御信号の転送レートが増大することを防止できるという利点がある。
【０００８】
本発明に係る発光装置の態様として、第２保持容量の一方の電極と、他方の電極との導通および非導通を切り替えるためのリセットトランジスタをさらに備え、制御部は、書込期間の後の期間であって、転送期間の直前の初期化期間において、第２スイッチング素子をオフ状態、リセットトランジスタをオン状態に設定する。この態様では、初期化期間において、リセットトランジスタがオン状態に設定されることで、第２保持容量に保持されていた電荷が完全に除去（リセット）される。これにより、その後の転送期間では、第２駆動トランジスタのゲートの電位を高い精度で所望の値に設定することが可能になる。
【０００９】
また、本発明に係る発光装置は、第１および第２の発光素子と、各々が、ゲート電位に応じて駆動電流を出力する第１および第２駆動トランジスタと、第１駆動トランジスタのゲートの電位を保持するための第１保持容量と、第１電極と、第２駆動トランジスタのソースに接続される第２電極とを有し、第２駆動トランジスタのゲートの電位を保持するための第２保持容量と、第１駆動トランジスタのゲートとデータ線との間に設けられ、第１駆動トランジスタのゲートとデータ線との導通および非導通を切り替えるための第１スイッチング素子と、第１駆動トランジスタのゲートと第１電極との間に設けられ、第１駆動トランジスタのゲートと第１電極との導通および非導通を切り替えるための第２スイッチング素子と、第２駆動トランジスタのゲートと第１電極との間に設けられ、第２駆動トランジスタのゲートと第１電極との導通および非導通を切り替えるための第３スイッチング素子と、第１書込期間において、第１スイッチング素子をオン状態、第２スイッチング素子および第３スイッチング素子をオフ状態に設定するとともに、画像データに応じたデータ電位をデータ線に供給し、第１書込期間の後の転送期間において、第１スイッチング素子および第３スイッチング素子をオフ状態、第２スイッチング素子をオン状態に設定し、転送期間の後の設定期間において、第１スイッチング素子および第２スイッチング素子をオフ状態、第３スイッチング素子をオン状態に設定する制御部と、を備えることを特徴とする。
【００１０】
上述の構成であっても、制御回路は、データ線に対するデータ電位（発光制御信号）の供給を１回行うだけで、第１の発光素子および第２の発光素子の各々の発光を制御することができるから、発光制御信号の転送レートが増大することを防止できるという利点がある。また、制御回路は、転送期間において、第１駆動トランジスタのゲートと第２駆動トランジスタのゲートとを非導通にした状態で、第１保持容量に保持されているデータ電位を第２保持容量へ転送するので、第２駆動トランジスタのゲートに寄生する容量の影響を受け難い分だけ、第２保持容量の電圧値が速やかに所望の値に到達するという利点がある。
【００１１】
以上の態様において、第１および第２の発光素子の各々からの出射光は、同一の被露光面に異なるタイミングで照射される。すなわち、多重露光方式が採用されるので、多重露光方式が採用されない構成に比べて、個々の発光素子の発光量を小さくすることができる。したがって、発光素子の特性劣化を抑制できる。
【００１２】
本発明に係る発光装置は各種の電子機器に利用される。例えば、本発明のひとつの態様に係る画像形成装置は、以上の何れかの態様に係る発光装置と、発光装置による発光で潜像が形成される被露光面を有する像担持体と、像担持体の潜像に対する現像剤の付加によって顕像を形成する現像器とを具備する。
【００１３】
もっとも、本発明に係る発光装置の用途は、像担持体の露光に限定されない。例えば、スキャナなどの画像読取装置においては、本発明に係る発光装置を原稿の照明に利用することが可能である。この画像読取装置は、以上の各態様に係る露光装置と、露光装置から出射して読取対象（原稿）で反射した光を電気信号に変換する受光装置（例えばＣＣＤ（Charge Coupled Device）素子などの受光素子）とを具備する。
【００１４】
本発明は、発光装置を駆動する方法としても特定される。本発明に係る駆動方法は、第１および第２の発光素子と、各々が、ゲート電位に応じて駆動電流を出力する第１および第２駆動トランジスタと、第１駆動トランジスタのゲートの電位を保持するための第１保持容量と、第２駆動トランジスタのゲートの電位を保持するための第２保持容量と、を備える発光装置の駆動方法であって、書込期間において、第１駆動トランジスタのゲートと第２駆動トランジスタのゲートとを非導通状態にしたうえで、露光量に応じた大きさのデータ信号を第１駆動トランジスタのゲートに供給し、書込期間の後の転送期間において、第１駆動トランジスタのゲートと第２駆動トランジスタのゲートとを導通させて、第１保持容量に保持されているデータ電位を第２保持容量へ転送する。以上の駆動方法によっても本発明に係る発光装置と同様の効果が得られる。
【図面の簡単な説明】
【００１５】
【図１】本発明の第１実施形態に係る画像形成装置の部分的な構成を示す斜視図である。
【図２】発光素子の配置を模式的に示す図である。
【図３】発光装置の回路図である。
【図４】被露光面に形成される静電潜像を表す図である。
【図５】第１実施形態に係る発光装置の動作を示すタイミングチャートである。
【図６】多重露光の様子を説明するための模式図である。
【図７】書込期間における発光装置の動作を説明するための図である。
【図８】初期化期間における発光装置の動作を説明するための図である。
【図９】転送期間における発光装置の動作を説明するための図である。
【図１０】対比例に係る発光装置のブロック図である。
【図１１】対比例に係る発光装置の動作を示すタイミングチャートである。
【図１２】本発明の第２実施形態に係る発光装置の第１番目のユニットの回路図である。
【図１３】第２実施形態に係る発光装置の動作を示すタイミングチャートである。
【図１４】書込期間における発光装置の動作を説明するための図である。
【図１５】転送期間における発光装置の動作を説明するための図である。
【図１６】設定期間における発光装置の動作を説明するための図である。
【図１７】本発明に係る電子機器の具体的な形態を示す図である。
【図１８】本発明に係る電子機器の具体的な形態を示す図である。
【発明を実施するための形態】
【００１６】
＜Ａ：第１実施形態＞
図１は、本発明の第１実施形態に係る画像形成装置の部分的な構成を示す斜視図である。同図に示すように、画像形成装置は、発光装置１０と、集光性レンズアレイ１１と、外周面が被露光面（像形成面）１４として機能する感光体ドラム（像担持体）１２とを含む。発光装置１０は、基板１３の表面に直線状に配列された多数の発光素子（図１においては図示略）を含む。これらの発光素子は、用紙などの記録材に印刷されるべき画像の態様に応じて選択的に発光する。感光体ドラム１２は、Ｘ方向（主走査方向）に延在する回転軸に支持され、被露光面１４を発光装置１０に対向させた状態で回転する。したがって、被露光面１４は、発光装置１０に対してＹ方向（記録材が搬送される副走査方向）に進行する。
【００１７】
集光性レンズアレイ１１は発光装置１０と感光体ドラム１２との間隙に配置される。集光性レンズアレイ１１は、各々の光軸を図１に示すＺ方向に向けて配列する複数のレンズを含む。このような集光性レンズアレイ１１としては、例えば日本板硝子株式会社から入手可能なＳＬＡ（セルフォック・レンズ・アレイ）がある（セルフォック／ＳＥＬＦＯＣは日本板硝子株式会社の登録商標）。発光装置１０の各発光素子からの出射光は集光性レンズアレイ１１の各レンズを透過したうえで感光体ドラム１２の被露光面１４に到達する。この露光によって感光体ドラム１２の被露光面１４には所望の画像に応じた潜像（静電潜像）が形成される。
【００１８】
図２は、発光装置１０の基板１３上に形成される発光素子の配置を模式的に示す図である。図２に示すように、基板１３上には、副走査方向Ｙに並列に配置される第１素子群Ｇ１および第２素子群Ｇ２が形成される。第１素子群Ｇ１は、主走査方向Ｘに沿って配列するｎ個の発光素子（Ｅ１１，Ｅ１２，・・・，Ｅ１ｎ）からなる。第２素子群Ｇ２は、主走査方向Ｘに沿って配列するｎ個の発光素子（Ｅ２１，Ｅ２２，・・・，Ｅ２ｎ）からなる。本実施形態では、発光素子は、陽極と陰極との間に有機ＥＬ材料の発光層を介在させた有機ＥＬ素子である。
【００１９】
第１素子群Ｇ１に属する各発光素子のＸ方向における位置は、第２素子群Ｇ２に属する各発光素子のＸ方向における位置に一致する。例えば、第１素子群Ｇ１の第ｉ番目（１≦ｉ≦ｎ）の発光素子Ｅ１ｉのＸ方向における位置は、第２素子群Ｇ２の第ｉ番目の発光素子Ｅ２ｉのＸ方向における位置に一致するという具合である。ここで、Ｙ方向に所定の間隔をあけて配置された２つの発光素子を１つの対Ｔとして捉えると、第１素子群Ｇ１の発光素子と第２素子群Ｇ２の発光素子とで各々が構成されるｎ個の対ＴがＸ方向に沿って配置されている。第ｉ番目の対Ｔは、第１素子群Ｇ１の第ｉ番目の発光素子Ｅ１ｉと第２素子群Ｇ２の第ｉ番目の発光素子Ｅ２ｉとから構成される。以下の説明においては、必要に応じて、Ｅ１１，Ｅ１２，・・・，Ｅ１ｎの各々を「第１の発光素子」、Ｅ２１，Ｅ２２，・・・，Ｅ２ｎの各々を「第２の発光素子」と呼ぶ。
【００２０】
図３は、発光装置１０の回路図である。発光装置１０は、各々が一つの対Ｔを含むｎ個のユニットＵ（Ｕ１，Ｕ２，・・・，Ｕｎ）と、各ユニットＵ（Ｕ１〜Ｕｎ）を制御する制御回路２０とを有する。第ｉ段目のユニットＵｉは、第ｉ番目の対Ｔｉを含んで構成される。図３に示すように、例えば第１段目のユニットＵ１は、第１番目の対Ｔ１を含んで構成されるという具合である。制御回路２０には、画像データに応じた大きさのデータ電位Ｖｄが外部の回路（図示省略）から供給される。制御回路２０は、外部から供給されるデータ電位Ｖｄを各ユニットＵ（Ｕ１〜Ｕｎ）へ供給（転送）する。ここでは、第ｉ段目のユニットＵｉに供給されるデータ電位ＶｄをＶｄ[ｉ]と表記する。本実施形態では、ｎ個のユニットＵ（Ｕ１〜Ｕｎ）と１対１に対応するｎ本のデータ線２３が設けられ、第ｉ段目のユニットＵｉに対応するデータ線２３を２３[ｉ]と表記する。第ｉ段目のユニットＵｉには、対応するデータ線２３[ｉ]を介してデータ電位Ｖｄ[ｉ]が供給されるという具合である。また、制御回路２０は、書込信号ＧWR、転送信号ＧTRおよびリセット信号ＧINIを各ユニットＵ（Ｕ１〜Ｕｎ）へ供給する。ここでは、第ｉ段目のユニットＵｉに供給される書込信号ＧWR、転送信号ＧTRおよびリセット信号ＧINIを、それぞれＧWR[ｉ]、ＧTR[ｉ]、ＧINI[ｉ]と表記する。
【００２１】
図３に示すように、各ユニットＵ（Ｕ１〜Ｕｎ）は、高位側電源電位ＶＥＬが供給される高位側電源線２１と、低位側電源電位ＶＣＴが供給される低位側電源線２２との間に配置される。以下、第１段目のユニットＵ１に着目して、その構成を説明するが、他のユニットＵ２〜Ｕｎの構成も同様である。
【００２２】
図３に示すように、ユニットＵ１は、第１回路Ｘ１と第２回路Ｘ２とを含んで構成される。第１回路Ｘ１は、第１の発光素子Ｅ１１と第１駆動トランジスタTd1と第１保持容量C1と書込用トランジスタＴr_Wとを含んで構成される。第１の発光素子Ｅ１１と第１駆動トランジスタTd1とは、高位側電源線２１と低位側電源線２２とを連結する経路上に直列に配置される。
【００２３】
第１駆動トランジスタTd1は、高位側電源線２１にソースが接続されるとともにドレインが第１の発光素子Ｅ１１の陽極に接続されたＰチャネル型のトランジスタ（例えば薄膜トランジスタ）である。第１保持容量Ｃ１は、第１駆動トランジスタTd1のゲートとソースとの間に介在する。
【００２４】
書込用トランジスタＴr_Wは、第１駆動トランジスタTd1のゲートとデータ線２３[１]との間に介在して両者の電気的な接続（導通／非導通）を制御する。図３に示すように、例えばＰチャネル型のトランジスタ（例えば薄膜トランジスタ）が書込用トランジスタＴｒ＿Wとして好適に採用される。書込用トランジスタＴr_Wのゲートには制御回路２０からの書込信号ＧWR[１]が供給される。書込用トランジスタＴr_Wは、書込信号ＧWR[１]のレベルに応じてオンオフが制御される。
【００２５】
一方、図３に示すように、第２回路Ｘ２は、第２の発光素子Ｅ２１と第２駆動トランジスタTd2と第２保持容量Ｃ２と転送用トランジスタＴr_RとリセットトランジスタＴr_INとを含んで構成される。第２の発光素子Ｅ２１と第２駆動トランジスタTd2とは、高位側電源線２１と低位側電源線２２とを連結する経路上に直列に配置される。
【００２６】
第２駆動トランジスタTd2は、高位側電源線２１にソースが接続されるとともにドレインが第２の発光素子Ｅ２１の陽極に接続されたＰチャネル型のトランジスタ（例えば薄膜トランジスタ）である。第２保持容量Ｃ２は、第２駆動トランジスタTd2のゲートとソースとの間に介在する。第２保持容量Ｃ２の一方の電極と、他方の電極との間には（第２駆動トランジスタTd2のゲートとソースとの間には）、リセットトランジスタＴr_INが設けられる。図３に示すように、例えばＰチャネル型のトランジスタ（例えば薄膜トランジスタ）がリセットトランジスタＴr_INとして好適に採用される。リセットトランジスタＴr_INのゲートには制御回路２０からのリセット信号ＧINI[１]が供給される。リセットトランジスタＴr_INは、リセット信号ＧINI[１]のレベルに応じてオンオフが制御される。
【００２７】
転送用トランジスタＴr_Rは、第２駆動トランジスタTd2のゲートと、第１回路Ｘ１の第１駆動トランジスタTd1のゲートとの間に介在して両者の電気的な接続（導通／非導通）を制御する。図３に示すように、例えばＰチャネル型のトランジスタ（薄膜トランジスタ）が転送用トランジスタＴr_Rとして好適に採用される。転送用トランジスタＴr_Rのゲートには制御回路２０からの転送信号ＧTR[１]が供給される。転送用トランジスタＴr_Rは、転送信号ＧTR[１]のレベルに応じてオンオフが制御される。
【００２８】
以上の構成を前提として、本実施形態に係る発光装置１０は、第１の発光素子（Ｅ１１，Ｅ１２，・・・，Ｅ１ｎ）からの出射光と、第２の発光素子（Ｅ２１，Ｅ２２，・・・，Ｅ２ｎ）からの出射光とで感光体ドラム１２の被露光面１４を二重露光することで、被露光面１４に静電潜像を形成する。
【００２９】
いま、図４に示すような静電画像ＳＺを被露光面１４に形成する場合を想定する。図４に示す静電潜像ＳＺは、Ｙ方向に並列に配置される第１露光領域Ｉ１および第２露光領域Ｉ２から形成される。ここでは、説明の便宜上、静電潜像ＳＺが２行分の露光領域から形成される態様を例に挙げている。第１露光領域Ｉ１には、Ｘ方向に沿って配列するｎ個の露光ドット（Ｄ１１，Ｄ１２，・・・，Ｄ１ｎ）が形成される。第ｉ番目の露光ドットＤ１ｉは、第１素子群Ｇ１の第ｉ番目の発光素子（第１の発光素子）Ｅ１ｉ、および、第２素子群Ｇ２の第ｉ番目の発光素子（第２の発光素子）Ｅ２ｉの各々の出射光が集光性レンズアレイ１１を透過して被露光面１４に到達することで形成される。言い換えれば、第ｉ番目の露光ドットＤ１ｉは、第ｉ番目の対Ｔｉを構成する第１の発光素子および第２の発光素子の各々からの出射光で二重露光されることで形成される。第２露光領域Ｉ２には、Ｘ方向に沿って配列するｎ個の露光ドット（Ｄ２１，Ｄ２２，・・・，Ｄ２ｎ）が形成される。第ｉ番目の露光ドットＤ２ｉは、第ｉ番目の対Ｔｉを構成する第１の発光素子および第２の発光素子の各々の出射光で二重露光されることで形成される。本実施形態では、各露光ドットは黒（発光）または白（消灯）の何れかの階調（露光量）に指定され、白の画素の個数と黒の画素の個数の粗密によって画像の階調が表現される（いわゆる面積階調法）。
【００３０】
図４に示す静電潜像ＳＺが形成される１フレーム期間Ｆは、図５に示すように、３つの単位期間（Ｔ１，Ｔ２，Ｔ３）からなる。図６に示すように、第１番目の単位期間Ｔ１においては、第１素子群Ｇ１の各発光素子（第１の発光素子）が、被露光面１４の第１露光領域Ｉ１に対向する。そして、第１露光領域Ｉ１には、第１素子群Ｇ１の各発光素子からの出射光が到達することで１回目の露光が行われる。次の第２番目の単位期間Ｔ２においては、第１素子群Ｇ１の各発光素子が、被露光面１４の第２露光領域Ｉ２に対向するとともに、第２素子群Ｇ２の各発光素子（第２の発光素子）が、被露光面１４の第１露光領域Ｉ１に対向する。そして、第１露光領域Ｉ１には、第２素子群Ｇ２の各発光素子からの出射光が到達することで２回目の露光が行われる一方、第２露光領域Ｉ２には、第１素子群Ｇ１の各発光素子からの出射光が到達することで１回目の露光が行われる。次の第３番目の単位期間Ｔ３においては、第２素子群Ｇ２の各発光素子が、被露光面１４の第２露光領域Ｉ２に対向する。そして、第２露光領域Ｉ２には、第２素子群Ｇ２の各発光素子からの出射光が到達することで２回目の露光が行われる。なお、第１露光領域Ｉ１と第２露光領域Ｉ２との間のＹ方向における距離は、発光装置１０と感光体ドラム１２との位置関係および発光タイミングが上記の関係を満たすように設定される。
【００３１】
以下、第１段目のユニットＵ１に着目して、発光装置１０の具体的な動作を説明する。なお、説明の便宜上、第１段目のユニットＵ１によって形成される露光ドットＤ１１およびＤ２１の階調は「黒」に指定されるものとする。したがって、第１番目の単位期間Ｔ１においては、第１の発光素子Ｅ１１が発光し、第２番目の単位期間Ｔ２においては、第１の発光素子Ｅ１１および第２の発光素子Ｅ２１の両方が発光し、第３番目の単位期間Ｔ３においては、第２の発光素子Ｅ２１が発光する。図６に示すように、第３番目の単位期間Ｔ３では、第１素子群Ｇ１の各発光素子（第１の発光素子）は、被露光面１４のうち静電潜像ＳＺが形成されない領域に対向することになるので、当該単位期間Ｔ３においては、第１の発光素子Ｅ１１は発光せず、第２の発光素子Ｅ２１のみが発光する。
【００３２】
図５に示すように、各単位期間（Ｔ１，Ｔ２，Ｔ３）は、書込期間ＴWと、書込期間ＴWの後の初期化期間ＴINと、初期化期間ＴINの直後の転送期間ＴRとを含む。制御回路２０は、３つの単位期間（Ｔ１〜Ｔ３）の各々における書込期間ＴWにおいて、第１駆動トランジスタTd1のゲートと第２駆動トランジスタTd2のゲートとを非導通状態にしたうえで、データ電位Ｖｄ[１]を第１駆動トランジスタTd1のゲートに供給するように制御する。また、制御回路２０は、３つの単位期間（Ｔ１〜Ｔ３）の各々における初期化期間ＴINにおいて、第２駆動トランジスタTd2のゲートの電位を初期化する。さらに、制御回路２０は、３つの単位期間（Ｔ１〜Ｔ３）の各々における転送期間ＴRにおいて、第１駆動トランジスタTd1のゲートと第２駆動トランジスタTd2のゲートとを導通させて、第１保持容量Ｃ１に保持されているデータ電位Ｖｄ[１]を第２保持容量Ｃ２へ転送する。以下、その具体的な内容について説明する。
【００３３】
各単位期間（Ｔ１〜Ｔ３）の開始と同時に当該単位期間内の書込期間ＴWが開始する。図５に示すように、第１番目の単位期間Ｔ１内の書込期間ＴWが開始すると、制御回路２０は、書込信号ＧWR[１]をアクティブレベル（ローレベル）に設定する一方、転送信号ＧTR[１]およびリセット信号ＧINI[１]を非アクティブレベル（ハイレベル）に設定する。したがって、図７に示すように、書込用トランジスタＴr_Wはオン状態、転送用トランジスタＴr_RおよびリセットトランジスタＴr_INはオフ状態に設定される。また、図５および図７に示すように、制御回路２０は、データ電位Ｖｄ[１]としてローレベルの電位ＶLをデータ線２３[１]に供給する。本実施形態では、第１の発光素子Ｅ１１を点灯させる場合はデータ電位Ｖｄ[１]はローレベルの電位ＶLに設定され、第１の発光素子Ｅ１１を消灯させる場合はデータ電位Ｖｄ[１]はハイレベルの電位ＶHに設定される。前述したように、第１番目の単位期間Ｔ１では第１の発光素子Ｅ１が発光するので、ここではデータ電位Ｖｄ[１]はローレベルの電位ＶLに設定される。
【００３４】
このとき、図７に示すように、第１駆動トランジスタTd1のゲートは、オン状態の書込用トランジスタＴr_Wを介してデータ線２３[１]に導通するので、第１駆動トランジスタTd1のゲートの電位はローレベルの電位ＶLに設定される。本実施形態では、ローレベルの電位ＶLは、その電位ＶLと高位側電源電位ＶＥＬとの間の電位差（第１駆動トランジスタTd1のゲート・ソース間の電圧）が第１駆動トランジスタTd1の閾値電圧を十分に上回るような値に設定されるので、第１駆動トランジスタTd1はオン状態となる。オン状態に遷移した第１駆動トランジスタTd1はゲートの電位に応じた駆動電流Id1を生成し、当該駆動電流Ｉd1が第１の発光素子Ｅ１１を流れる。これにより、第１の発光素子Ｅ１１が発光する。
【００３５】
図５に示すように、単位期間Ｔ１内の書込期間ＴWが終了すると、制御回路２０は、書込信号ＧWR[１]を非アクティブレベル（ハイレベル）に設定するので、書込用トランジスタＴr_Wはオフ状態となる。他の信号は、書込期間ＴWにおけるレベルに維持される。ここで、書込用トランジスタＴr_Wがオフ状態になっても、第１駆動トランジスタTd1のゲートの電位は、第１保持容量Ｃ１によって、書込期間ＴWの終点における電位ＶLに維持されるので、第１の発光素子Ｅ１１には前述の駆動電流Ｉd1が流れ続ける。すなわち、第１の発光素子Ｅ１１は、次の第２番目の単位期間Ｔ２内の書込期間ＴWが開始するまでの期間、発光し続ける。前述したように、第１番目の単位期間Ｔ１においては、第１素子群Ｇ１の各発光素子が、被露光面１４の第１露光領域Ｉ１に対向するので（図６参照）、被露光面１４のうち露光ドットＤ１１が形成される領域には、第１の発光素子Ｅ１１からの出射光が到達することで１回目の露光が行われるという具合である。また、制御回路２０は、単位期間Ｔ１内の書込期間ＴWが終了すると、次の第２番目の単位期間Ｔ２内の書込期間ＴWが開始するまでの間、データ線２３に対するデータ電位Ｖｄ[１]の供給を行わない。
【００３６】
書込期間ＴWが終了してから所定期間が経過すると、初期化期間ＴINが開始する。図５に示すように、第１番目の単位期間Ｔ１内の初期化期間ＴINが開始すると、制御回路２０は、書込信号ＧWR[１]および転送信号ＧTR[１]をハイレベル、リセット信号ＧIN[１]をローレベルに設定する。したがって、図８に示すように、書込用トランジスタＴr_Wおよび転送用トランジスタＴr_Rがオフ状態に設定される一方、リセットトランジスタＴr_INはオン状態に設定される。これにより、第２保持容量Ｃ２の一方の電極と他方の電極とがオン状態のリセットトランジスタＴr_INを介して導通するから、初期化期間ＴINの開始の直前の時点で第２保持容量Ｃ２に蓄積されていた電荷は完全に除去される。これにより、第２駆動トランジスタTd2のゲートの電位が初期化されて、第２駆動トランジスタTd2はオフ状態となる。この第２保持容量Ｃ２の電荷のリセットによって、初期化期間ＴINの開始時点における第２保持容量Ｃ２の状態（第２保持容量Ｃ２に残存している電荷）に拘わらず、その後の転送期間ＴRでは第２駆動トランジスタTd2のゲートの電位を高い精度で所期値に設定することが可能となる。
【００３７】
初期化期間ＴINが終了すると、直後の転送期間ＴRが開始する。図５に示すように、第１番目の単位期間Ｔ１内の転送期間ＴRが開始すると、制御回路２０は、書込信号ＧWR[１]およびリセット信号ＧIN[１]をハイレベル、転送信号ＧTR[１]をローレベルに設定する。したがって、図９に示すように、書込用トランジスタＴr_WおよびリセットトランジスタＴr_INがオフ状態に設定される一方、転送用トランジスタＴr_Rはオン状態に設定される。これにより、第１駆動トランジスタTd1のゲートと第２駆動トランジスタTd2のゲートとは、オン状態の転送用トランジスタＴr_Rを介して導通する。このとき、書込用トランジスタＴr_Wはオフ状態になるので、第１駆動トランジスタTd1のゲートと第２駆動トランジスタTd2のゲートとは電気的にフローティング状態となり、第１保持容量Ｃ１に保持されていた電荷が、第２保持容量Ｃ２に分配される。第１保持容量Ｃ１の容量値をＣａ、第２保持容量Ｃ２の容量値をＣｂとすると、第２保持容量Ｃ２に供給（転送）される電位はＣａ×ＶL／（Ｃａ＋Ｃｂ）となり、第２駆動トランジスタTd2のゲートの電位は、当該電位Ｃａ×ＶL／（Ｃａ＋Ｃｂ）に設定される。本実施形態では、ローレベルの電位ＶLは、Ｃａ×ＶL／（Ｃａ＋Ｃｂ）で表される電位と、高位側電源電位ＶＥＬとの間の電位差（第２駆動トランジスタTd2のゲート・ソース間の電圧）が、第２駆動トランジスタTd2の閾値電圧を十分に上回るような値に設定されるので、第２駆動トランジスタTd2はオン状態となる。オン状態に遷移した第２駆動トランジスタTd2はゲートの電位に応じた駆動電流Id2を生成し、当該駆動電流Ｉd2が第２の発光素子Ｅ２１を流れる。これにより、第２の発光素子Ｅ２１が発光する。上述の転送期間ＴRが終了すると、第１番目の単位期間Ｔ１が終了する。
【００３８】
第２番目の単位期間Ｔ２内の書込期間ＴWは、第１番目の単位期間Ｔ１内の転送期間ＴRが終了した直後（第１番目の単位期間Ｔ１が終了した直後）に開始する。単位期間Ｔ２内の書込期間ＴWにおけるユニットＵ１の動作は、第１番目の単位期間Ｔ１内の書込期間ＴWにおける動作と同様である。前述したように、第２番目の単位期間Ｔ２においては、第１の発光素子Ｅ１１が発光するので、図５に示すように、制御回路２０は、データ電位Ｖｄ[１]としてローレベルの電位ＶLをデータ線２３[１]に供給する。これにより、第１駆動トランジスタTd1のゲートはローレベルの電位ＶLに設定されるので、駆動電流Ｉd1が第１の発光素子Ｅ１１を流れて、第１の発光素子Ｅ１１が発光する。なお、第１番目の単位期間Ｔ１と同様に、制御回路２０は、単位期間Ｔ２内の書込期間ＴWが終了すると、次の第３番目の単位期間Ｔ３内の書込期間ＴWが開始するまでの間、データ線２３に対するデータ電位Ｖｄ[１]の供給を行わない。
【００３９】
また、第２番目の単位期間Ｔ２内の書込期間ＴWが開始すると、直前の転送期間ＴR（第１番目の単位期間Ｔ１内の転送期間ＴR）にてオン状態に設定されていた転送用トランジスタＴr_Rはオフ状態に遷移するが、第２駆動トランジスタTd2のゲートの電位は、第２保持容量Ｃ２によって、第１番目の単位期間Ｔ１内の転送期間ＴRの終点における電位（Ｃａ×ＶL／（Ｃａ＋Ｃｂ））に維持されるので、第２の発光素子Ｅ２１には前述の駆動電流Ｉd2が流れ続ける。すなわち、第２の発光素子Ｅ２１は、第２番目の単位期間Ｔ２内の初期化期間ＴINが開始するまでの間、発光し続ける。
【００４０】
前述したように、第２番目の単位期間Ｔ２においては、第１素子群Ｇ１の各発光素子が、被露光面１４の第２露光領域Ｉ２に対向するとともに、第２素子群Ｇ２の各発光素子が、被露光面１４の第１露光領域Ｉ１に対向するので（図６参照）、被露光面１４のうち露光ドットＤ１１が形成される領域には、第２の発光素子Ｅ２１からの出射光が到達することで２回目の露光が行われる一方、被露光面１４のうち露光ドットＤ２１が形成される領域には、第１の発光素子Ｅ１１からの出射光が到達することで１回目の露光が行われるという具合である。
【００４１】
第２番目の単位期間Ｔ２内の初期化期間ＴINにおけるユニットＵ１の動作は、第１番目の単位期間Ｔ１内の初期化期間ＴINにおける動作と同様であり、第２保持容量Ｃ２に蓄積されていた電荷が完全に除去されて、第２駆動トランジスタTd2のゲートの電位が初期化される。第２駆動トランジスタTd2はオフ状態に遷移するので、第２の発光素子Ｅ２１は消灯状態となる。本実施形態では、第２番目の単位期間Ｔ２の始点から、第２番目の単位期間Ｔ２内の初期化期間ＴINが開始するまでの時間長は、第２の発光素子Ｅ２１からの露光量が十分に確保されるような値に設定される。
【００４２】
第２番目の単位期間Ｔ２内の転送期間ＴRにおけるユニットＵ１の動作も、第１番目の単位期間Ｔ１内の転送期間ＴRにおける動作と同様である。単位期間Ｔ２内の転送期間ＴRにおいては、第１駆動トランジスタTd1のゲートと第２駆動トランジスタTd2のゲートとが導通することで、第１保持容量Ｃ１に保持されていた電位が第２保持容量Ｃ２に転送され、第２駆動トランジスタTd2のゲートの電位は、Ｃａ×ＶL／（Ｃａ＋Ｃｂ）に設定される。第２駆動トランジスタTd2は、ゲートの電位に応じた駆動電流Id2を生成し、当該駆動電流Ｉd2が第２の発光素子Ｅ２１を流れる。これにより、第２の発光素子Ｅ２１が発光するという具合である。上述の転送期間ＴRが終了すると、第２番目の単位期間Ｔ２が終了する。
【００４３】
第３番目の単位期間Ｔ３内の書込期間ＴWは、第２番目の単位期間Ｔ２内の転送期間ＴRが終了した直後（第２番目の単位期間Ｔ２が終了した直後）に開始する。単位期間Ｔ３内の書込期間ＴWにおけるユニットＵ１の動作は、上述の各単位期間内の書込期間ＴWにおける動作と同様である。前述したように、第３番目の単位期間Ｔ３においては、第１の発光素子Ｅ１１は消灯となるので、図５に示すように、制御回路２０は、データ電位Ｖｄ[１]としてハイレベルの電位ＶHをデータ線２３[１]に供給する。
【００４４】
このとき、第１駆動トランジスタTd1のゲートは、オン状態の書込用トランジスタＴr_Wを介してデータ線２３[１]に導通するので、第１駆動トランジスタTd1のゲートの電位はハイレベルの電位ＶHに設定される。本実施形態では、ハイレベルの電位ＶHは、その電位ＶHと高位側電源電位ＶＥＬとの間の電位差（第１駆動トランジスタTd1のゲート・ソース間の電圧）が第１駆動トランジスタTd1の閾値電圧を十分に下回るような値に設定されるので、第１駆動トランジスタTd1はオフ状態となる。したがって、第１の発光素子Ｅ１１には電流が流れず、第１の発光素子Ｅ１１は消灯状態となる。また、上述の各単位期間と同様に、制御回路２０は、単位期間Ｔ３内の書込期間ＴWが終了すると、次の単位期間Ｔ内の書込期間ＴWが開始するまでの間、データ線２３に対するデータ電位Ｖｄ[１]の供給を行わない。
【００４５】
また、第３番目の単位期間Ｔ３内の書込期間ＴWが開始すると、直前の転送期間ＴR（第２番目の単位期間Ｔ２内の転送期間ＴR）にてオン状態に設定されていた転送用トランジスタＴr_Rはオフ状態となるが、第２駆動トランジスタTd2のゲートの電位は、第２保持容量Ｃ２によって、第２番目の単位期間Ｔ２内の転送期間ＴRの終点における電位（Ｃａ×ＶL／（Ｃａ＋Ｃｂ））に維持されるので、第２の発光素子Ｅ２１には前述の駆動電流Ｉd2が流れ続ける。すなわち、第２の発光素子Ｅ２１は、第３番目の単位期間Ｔ３内の初期化期間ＴINが開始するまでの間、発光し続ける。前述したように、第３番目の単位期間Ｔ３においては、第２素子群Ｇ２の各発光素子が、被露光面１４の第２露光領域Ｉ２に対向するので（図６参照）、被露光面１４のうち露光ドットＤ２１が形成される領域には、第２の発光素子Ｅ２１からの出射光が到達することで２回目の露光が行われる。
【００４６】
第３番目の単位期間Ｔ３内の初期化期間ＴINにおけるユニットＵ１の動作は、上述の各単位期間内の初期化期間ＴINにおける動作と同様であり、第２駆動トランジスタTd2のゲートの電位が初期化されて、第２の発光素子Ｅ２１は消灯状態となる。また、上述の各単位期間と同様に、第３番目の単位期間Ｔ３の始点から、第３番目の単位期間Ｔ３内の初期化期間ＴINが開始するまでの時間長は、第２の発光素子Ｅ２１からの露光量が十分に確保されるような値に設定される。
【００４７】
第３番目の単位期間Ｔ３内の転送期間ＴRにおけるユニットＵ１の動作も、上述の各単位期間内の転送期間ＴRにおける動作と同様である。単位期間Ｔ３内の転送期間ＴRにおいては、第１駆動トランジスタTd1のゲートと第２駆動トランジスタTd2のゲートとが導通することで、第１保持容量Ｃ１に保持されていた電位が第２保持容量Ｃ２に転送され、第２駆動トランジスタTd2のゲートの電位は、Ｃａ×ＶH／（Ｃａ＋Ｃｂ）に設定される。本実施形態では、ハイレベルの電位ＶHは、Ｃａ×ＶH／（Ｃａ＋Ｃｂ）で表される電位と、高位側電源電位ＶＥＬとの間の電位差（第２駆動トランジスタTd2のゲート・ソース間の電圧）が、第２駆動トランジスタTd2の閾値電圧を十分に下回るような値に設定されるので、第２駆動トランジスタTd2はオフ状態となる。したがって、第２の発光素子Ｅ２１は、直前の初期化期間ＴINに引き続き消灯状態に維持される。上述の転送期間ＴRが終了すると、第３番目の単位期間Ｔ３が終了して１フレーム期間Ｆが終了する。以上の動作によって、被露光面１４には図４に示す静電潜像ＳＺが形成されるという具合である。
【００４８】
ここで、第１の発光素子の発光を制御するための信号、および、第２の発光素子の発光を制御するための信号の各々が、制御回路２０によって供給される態様（以下、「対比例」と呼ぶ）を想定する。図１０は、対比例に係る発光装置の回路図である。第１段目のユニットＵ１に着目すると、第２回路Ｘ２には、転送用トランジスタＴr_Rが設けられずに第２書込用トランジスタＴr_W2が設けられる点で上述の第１実施形態と相違する。図１０に示すように、Ｐチャネル型の第２書込用トランジスタＴr_W2は、第２駆動トランジスタTd2のゲートとデータ線２３[１]との間に設けられる。第２書込用トランジスタＴｒ_W2のゲートには制御回路２０からの第２書込信号ＧWR_2[１]が供給され、第２書込用トランジスタＴr_W2は、第２書込信号ＧWR_2[１]のレベルに応じてオンオフが制御される。その他の構成は、第１実施形態と構成と同じである。
【００４９】
図１１は、対比例に係る発光装置の具体的な動作を説明するためのタイミングチャートである（図５に対応）。図１１に示すように、３つの単位期間（Ｔ１〜Ｔ３）の各々には、転送期間ＴRの代わりに第２書込期間ＴW2が設定される。ここでは、第２書込期間ＴW2の時間長は転送期間ＴRの時間長と同じである。また、第２書込信号ＧWR_2[１]は、各単位期間（Ｔ１〜Ｔ３）内の第２書込期間ＴW2においてアクティブレベル（ローレベル）に設定され、それ以外の期間では非アクティブレベル（ハイレベル）に設定される信号である。
【００５０】
制御回路２０は、３つの単位期間（Ｔ１〜Ｔ３）の各々における第２書込期間ＴW2において、画像データに応じたデータ電位Ｖｄ[１]を第２駆動トランジスタTd2のゲートに供給するように制御する。より具体的には、以下のとおりである。図１１に示すように、例えば第１番目の単位期間Ｔ１内の第２書込期間ＴW2においては、制御回路２０は、第２書込信号ＧWR_2[１]をローレベル、書込信号ＧWR[１]およびリセット信号ＧINI[１]をハイレベルに設定する。したがって、第２書込用トランジスタＴr_W2はオン状態、書込用トランジスタＴr-WおよびリセットトランジスタＴr-INはオフ状態に設定される。また、このとき、図１１に示すように、制御回路２０は、データ電位Ｖｄ[１]としてローレベルの電位ＶLをデータ線２３[１]に供給する。第２駆動トランジスタTd2のゲートは、オン状態の第２書込用トランジスタＴr_W2を介してデータ線２３[１]に導通するので、第２駆動トランジスタTd2のゲートの電位はＶLに設定され、第２駆動トランジスタTd2はオン状態となる。オン状態に遷移した第２駆動トランジスタTd2はゲートの電位に応じた駆動電流Id2を生成し、当該駆動電流Ｉd2が第２の発光素子Ｅ２１を流れる。これにより、上述の第１実施形態と同様に（図５および図９参照）、第２の発光素子Ｅ２１が発光するという具合である。なお、第１番目の単位期間Ｔ１内の書込期間ＴWおよび初期化期間ＴINにおける発光装置の動作は上述の第１実施形態と同じである。
【００５１】
また、第２番目の単位期間Ｔ２内の第２書込期間ＴW2においては、制御回路２０は、第２書込信号ＧWR_2[１]をローレベル、書込信号ＧWR[１]およびリセット信号ＧINI[１]をハイレベルに設定する一方、データ電位Ｖｄ[１]としてローレベルの電位ＶLをデータ線２３[１]に供給する。さらに、第３番目の単位期間Ｔ３内の第２書込期間ＴW2においては、制御回路２０は、第２書込信号ＧWR_2[１]をローレベル、書込信号ＧWR[１]およびリセット信号ＧINI[１]をハイレベルに設定する一方、データ電位Ｖｄ[１]としてハイレベルの電位ＶHをデータ線２３[１]に供給するという具合である。
【００５２】
図１１からも理解されるように、対比例における制御回路２０は、各単位期間（Ｔ１〜Ｔ３）において、データ線２３[１]に対するデータ電位Ｖｄ[１]の供給を２回行う必要がある。これに対して、上述の第１実施形態に係る制御回路２０は、各単位期間内の書込期間ＴWにおいては、第１駆動トランジスタTd1のゲートと第２駆動トランジスタTd2のゲートとを非導通状態にしたうえで、データ電位Ｖｄ[１]を第１駆動トランジスタTd1のゲートに供給し、その後の転送期間においては、第１駆動トランジスタTd1のゲートと第２駆動トランジスタTd2のゲートとを導通させて、第１保持容量Ｃ１に保持されているデータ電位Ｖｄ[１]を第２保持容量Ｃ２へ転送する。すなわち、制御回路２０は、各単位期間（Ｔ１〜Ｔ３）において、データ線２３[１]に対するデータ電位Ｖｄ[１]の供給を１回行うだけで、第１の発光素子Ｅ１１および第２の発光素子Ｅ２１の各々の発光を制御することができるから、結果として、データ電位Ｖｄ[１]の転送レートは対比例の半分で済む。したがって、本実施形態によれば、データ電位Ｖｄ[１]（発光制御信号）の転送レートの増大を防止できるという利点がある。
【００５３】
＜Ｂ：第２実施形態＞
図１２は、本発明の第２実施形態に係る発光装置の第１段目のユニットＵ１の回路図である。ここでは、第１段目のユニットＵ１を例に挙げて説明するが、他のユニットＵ２〜Ｕｎの構成も第１段目のユニットＵ１と同じである。図１２に示すように、ユニットＵ１における第２回路Ｘ２は、転送用トランジスタＴr_RおよびリセットトランジスタＴr_INの代わりに、第１トランジスタＴr_R1と第２トランジスタＴr_R2とを備える点で上述の第１実施形態と相違する。その他の構成は第１実施形態と同じである。
【００５４】
図１２に示すように、第２保持容量Ｃ２は、第１電極Ｌ１と第２電極Ｌ２とを有し、第２電極Ｌ２は第２駆動トランジスタTd2のソースに接続される。そして、第１電極Ｌ１と、第１回路Ｘ１の第１駆動トランジスタTd1のゲートとの間には、両者の導通および非導通を切り替えるためのＰチャネル型の第１トランジスタＴr_R1が設けられる。第１トランジスタＴr_R1のゲートには、制御回路２０からの第１制御信号ＧTR_1[１]が供給される。ここでは、第ｉ段目のユニットＵｉに供給される第１制御信号をＧTR_1[ｉ]と表記する。第１トランジスタＴr_R1は、第１制御信号ＧTR_1[１]のレベルに応じてオンオフが制御される。また、第１電極Ｌ１と、第２駆動トランジスタTd2のゲートとの間には、両者の導通および非導通を切り替えるための第２トランジスタＴr_R2が設けられる。第２トランジスタTr_R2のゲートには、制御回路２０からの第２制御信号ＧTR_2[１]が供給される。ここでは、第ｉ段目のユニットＵｉに供給される第２制御信号をＧTR_2[ｉ]と表記する。第２トランジスタＴr_R2は、第２制御信号ＧTR_2[１]のレベルに応じてオンオフが制御される。
【００５５】
図１３は、第２実施形態に係る発光装置の具体的な動作を説明するためのタイミングチャートである（図５に対応）。図１３に示すように、３つの単位期間（Ｔ１〜Ｔ３）の各々は、書込期間ＴWと、書込期間ＴWの直後の転送期間ＴRと、転送期間ＴRの直後の設定期間ＴSとに区分される。転送期間ＴRの時間長は、書込期間ＴWおよび設定期間ＴSの時間長に比べて十分に長い値に設定される。
【００５６】
いま、第１番目の単位期間Ｔ１に着目して、ユニットＵ１の動作を説明する。なお、上述の第１実施形態と重複する部分については適宜に説明を省略する。図１３に示すように、単位期間Ｔ１内の書込期間ＴWが開始すると、制御回路２０は、書込信号ＧWR[１]をローレベルに設定する一方、第１制御信号ＧTR_1[１]および第２制御信号ＧTR_2[１]をハイレベルに設定する。したがって、図１４に示すように、書込用トランジスタＴr_Wはオン状態、第１トランジスタＴr_R1および第２トランジスタＴr_R2はオフ状態に設定される。また、図１３および図１４に示すように、制御回路２０は、データ電位Ｖｄ[１]としてローレベルの電位ＶLをデータ線２３[１]に供給する。これにより、第１駆動トランジスタTd1のゲートはローレベルの電位ＶLに設定されるので、駆動電流Ｉd1が第１の発光素子Ｅ１１を流れて、第１の発光素子Ｅ１１が発光する。上述の第１実施形態と同様に、第１の発光素子Ｅ１１は、次の第２番目の単位期間Ｔ２内の書込期間ＴWが開始するまでの期間、発光し続ける。
【００５７】
次に、単位期間Ｔ１内の転送期間ＴRが開始すると、図１３に示すように、制御回路２０は、第１制御信号ＧTR_1[１]をローレベルに設定する一方、書込信号ＧWR[１]および第２制御信号ＧTR_2[１]をハイレベルに設定する。したがって、図１５に示すように、第１トランジスタＴr_R1はオン状態、書込用トランジスタＴr_Wおよび第２トランジスタＴr_R2はオフ状態に設定される。これにより、第１駆動トランジスタTd1のゲートと第１電極Ｌ１とは、オン状態の第１トランジスタＴr_R1を介して導通する。このとき、書込用トランジスタＴr_Wはオフ状態に維持されるので、第１駆動トランジスタTd1のゲートと第２駆動トランジスタTd2のゲートとは電気的にフローティング状態となり、第１保持容量Ｃ１に保持されていた電荷が、第２保持容量Ｃ２に分配される。このとき第２保持容量Ｃ２に供給（転送）される電位は、Ｃａ×ＶL／（Ｃａ＋Ｃｂ）となる。
【００５８】
次に、単位期間Ｔ１内の設定期間ＴSが開始すると、図１３に示すように、制御回路２０は、第２制御信号ＧTR_2[１]をローレベルに設定する一方、書込信号ＧWR[１]および第１制御信号ＧTR_1[１]をハイレベルに設定する。したがって、図１６に示すように、第２トランジスタＴr_R2はオン状態、書込用トランジスタＴr_Wおよび第１トランジスタＴr_R1はオフ状態に設定される。これにより、第１電極Ｌ１と、第２駆動トランジスタTd2のゲートとは、オン状態の第２トランジスタＴr_R2を介して導通し、第２駆動トランジスタTd2のゲートの電位は、第２保持容量Ｃ２に転送された電位Ｃａ×ＶL／（Ｃａ＋Ｃｂ）に設定されるので、駆動電流Ｉd2が第２の発光素子Ｅ２１を流れる。したがって、第２の発光素子Ｅ２１が発光するという具合である。なお、以上に説明したユニットＵ１の動作は、他の単位期間（Ｔ２，Ｔ３）においても同じである。
【００５９】
第２実施形態においても、制御回路２０は、各単位期間（Ｔ１〜Ｔ３）において、データ線２３[１]に対するデータ電位Ｖｄ[１]の供給を１回行うだけで、第１の発光素子Ｅ１１および第２の発光素子Ｅ２１の各々の発光を制御することができるから、データ電位Ｖｄ[１]（発光制御信号）の転送レートの増大を防止できるという利点がある。また、第２実施形態に係る制御回路２０は、転送期間ＴRにおいて、第１駆動トランジスタTd1のゲートと第２駆動トランジスタTd2のゲートとを非導通にした状態で、第１保持容量Ｃ１に保持されているデータ電位Ｖｄ[１]を第２保持容量Ｃ２へ転送するので、第２駆動トランジスタTd2のゲートに寄生する容量の影響を受け難い分だけ、第２保持容量Ｃ２の電圧値が速やかに所望の値に到達するという利点がある。
【００６０】
＜Ｃ：変形例＞
本発明は上述した各実施形態に限定されるものではなく、例えば、以下の変形が可能である。また、以下に示す変形例のうちの２以上の変形例を組み合わせることもできる。
【００６１】
（１）変形例１
上述の第１実施形態では、第２回路Ｘ２には、リセットトランジスタＴr_INが設けられているが、これに限らず、例えば第２回路Ｘ２には、リセットトランジスタＴr_INが設けられない態様とすることも可能である。
【００６２】
（２）変形例２
各ユニットＵ１〜Ｕｎに含まれる各種トランジスタの導電型は任意である。上述の実施形態では、各ユニットＵ１〜Ｕｎに含まれる各種トランジスタは全てＰチャネル型のトランジスタで構成されているが、これに限らず、例えば各ユニットＵ１〜Ｕｎに含まれる各種トランジスタの全てがＮチャネル型であってもよい。また、例えば各ユニットＵ１〜Ｕｎに含まれる各種トランジスタのうちの一部のトランジスタがＰチャネル型で構成され、その他のトランジスタがＮチャネル型で構成されてもよい。
【００６３】
（３）変形例３
上述の各実施形態に係る発光装置では、二重露光方式が採用されているが、これに限らず、例えば３重露光方式や４重露光方式を採用することもできる。要するに、第１および第２の発光素子の各々からの出射光が、同一の被露光面に異なるタイミングで照射される方式であればよい。
【００６４】
（４）変形例４
被露光面１４に形成される静電潜像ＳＺの行数は任意である。言い換えれば、静電潜像ＳＺを構成する露光ドット群の数は任意であり、例えば４つ以上の露光ドット群がＹ方向に沿って並列に配置される態様とすることもできる。また、露光ドット群に含まれる露光ドットの数（すなわちひとつの素子群に属する発光素子の数）も任意である。
【００６５】
（５）変形例５
上述の各実施形態においては、発光素子の一例として、ＯＬＥＤ素子を取り上げたが、無機発光ダイオードやＬＥＤ（Light Emitting Diode）であってもよい。要は、駆動電流に応じた発光輝度で発光するのであれば、どのような素子であってもよい。
【００６６】
＜Ｄ：電子機器＞
次に、図１７を参照して、本発明に係る電子機器のひとつの態様である画像形成装置について説明する。この画像形成装置は、ベルト中間転写体方式を利用したタンデム型のフルカラー画像形成装置である。
【００６７】
この画像形成装置では、各々が同様の構成である４個の発光装置１０Ｋ，１０Ｃ，１０Ｍ，１０Ｙが、各々の構成が同様である４個の感光体ドラム（像担持体）１１０Ｋ，１１０Ｃ，１１０Ｍ，１１０Ｙの像形成面１１０に対向する位置にそれぞれ配置されている。発光装置１０Ｋ，１０Ｃ，１０Ｍ，１０Ｙは、上記の各形態に係る発光装置１０と同様の構成である。
【００６８】
図１７に示すように、この画像形成装置には、駆動ローラ１２１と従動ローラ１２２とが設けられており、これらのローラ１２１，１２２には無端の中間転写ベルト１２０が巻回されて、矢印に示すようにローラ１２１，１２２の周囲を回転させられる。図示しないが、中間転写ベルト１２０に張力を与えるテンションローラなどの張力付与手段を設けてもよい。
【００６９】
この中間転写ベルト１２０の周囲には、外周面に感光層を有する４個の感光体ドラム１１０Ｋ，１１０Ｃ，１１０Ｍ，１１０Ｙが互いに所定の間隔をおいて配置される。添字「Ｋ」，「Ｃ」，「Ｍ」，「Ｙ」はそれぞれ黒、シアン、マゼンタ、イエローの顕像を形成するために使用されることを意味している。他の部材についても同様である。感光体ドラム１１０Ｋ，１１０Ｃ，１１０Ｍ，１１０Ｙは、中間転写ベルト１２０の駆動と同期して回転駆動される。
【００７０】
各感光体ドラム１１０（Ｋ，Ｃ，Ｍ，Ｙ）の周囲には、コロナ帯電器１１１（Ｋ，Ｃ，Ｍ，Ｙ）と、発光装置１０（Ｋ，Ｃ，Ｍ，Ｙ）と、現像器１１４（Ｋ，Ｃ，Ｍ，Ｙ）とが配置されている。コロナ帯電器１１１（Ｋ，Ｃ，Ｍ，Ｙ）は、これに対応する感光体ドラム１１０（Ｋ，Ｃ，Ｍ，Ｙ）の像形成面１１０Ａ（外周面）を一様に帯電させる。発光装置１０（Ｋ，Ｃ，Ｍ，Ｙ）は、各感光体ドラムの帯電した像形成面１１０Ａに静電潜像を書き込む。各発光装置１０（Ｋ，Ｃ，Ｍ，Ｙ）においては、感光体ドラム１１０（Ｋ，Ｃ，Ｍ，Ｙ）の母線（主走査方向）に沿って複数の発光素子が配列する。静電潜像の書き込みは、複数の発光素子によって感光体ドラム１１０（Ｋ，Ｃ，Ｍ，Ｙ）に光を照射することにより行う。現像器１１４（Ｋ，Ｃ，Ｍ，Ｙ）は、静電潜像に現像剤としてのトナーを付着させることにより感光体ドラム１１０（Ｋ，Ｃ，Ｍ，Ｙ）に顕像（すなわち可視像）を形成する。
【００７１】
このような４色の単色顕像形成ステーションにより形成された黒、シアン、マゼンタ、イエローの各顕像は、中間転写ベルト１２０上に順次に一次転写されることによって中間転写ベルト１２０上で重ね合わされ、この結果としてフルカラーの顕像が形成される。中間転写ベルト１２０の内側には、４つの一次転写コロトロン（転写器）１１２（Ｋ，Ｃ，Ｍ，Ｙ）が配置されている。一次転写コロトロン１１２（Ｋ，Ｃ，Ｍ，Ｙ）は、感光体ドラム１１０（Ｋ，Ｃ，Ｍ，Ｙ）の近傍にそれぞれ配置されており、感光体ドラム１１０（Ｋ，Ｃ，Ｍ，Ｙ）から顕像を静電的に吸引することにより、感光体ドラムと一次転写コロトロンの間を通過する中間転写ベルト１２０に顕像を転写する。
【００７２】
最終的に画像を形成する対象（記録材）としてのシート１０２は、ピックアップローラ１０３によって、給紙カセット１０１から１枚ずつ給送されて、駆動ローラ１２１に接した中間転写ベルト１２０と二次転写ローラ１２６の間のニップに送られる。中間転写ベルト１２０上のフルカラーの顕像は、二次転写ローラ１２６によってシート１０２の片面に一括して二次転写され、定着部である定着ローラ対１２７を通ることでシート１０２上に定着される。この後、シート１０２は、排紙ローラ対１２８によって、装置上部に形成された排紙カセット上へ排出される。
【００７３】
次に、図１８を参照して、本発明に係る画像形成装置の他の形態について説明する。この画像形成装置は、ベルト中間転写体方式を利用したロータリ現像式のフルカラー画像形成装置である。図１４に示すように、感光体ドラム１１０の周囲には、コロナ帯電器１６８と、ロータリ式の現像ユニット１６１と、上記の実施形態に係る発光装置１０と、中間転写ベルト１６９とが設けられている。
【００７４】
コロナ帯電器１６８は、感光体ドラム１１０の外周面を一様に帯電させる。発光装置１０は、感光体ドラム１１０の帯電させられた像形成面（外周面）に静電潜像を書き込む。この発光装置１０においては、感光体ドラム１１０の母線（主走査方向）に沿って複数の発光素子が配列する。静電潜像の書き込みは、これらの発光素子から感光体ドラム１１０に光を照射することにより行う。
【００７５】
現像ユニット１６１は、４つの現像器１６３Ｙ，１６３Ｃ，１６３Ｍ，１６３Ｋが９０°の角間隔をおいて配置されたドラムであり、軸１６１ａを中心にして反時計回りに回転可能である。現像器１６３Ｙ，１６３Ｃ，１６３Ｍ，１６３Ｋは、それぞれイエロー、シアン、マゼンタ、黒のトナーを感光体ドラム１１０に供給して、静電潜像に現像剤としてのトナーを付着させることにより感光体ドラム１１０に顕像（すなわち可視像）を形成する。
【００７６】
無端の中間転写ベルト１６９は、駆動ローラ１７０ａ、従動ローラ１７０ｂ、一次転写ローラ１６６およびテンションローラに巻回されて、これらのローラの周囲を矢印に示す向きに回転させられる。一次転写ローラ１６６は、感光体ドラム１１０から顕像を静電的に吸引することにより、感光体ドラム１１０と一次転写ローラ１６６の間を通過する中間転写ベルト１６９に顕像を転写する。
【００７７】
具体的には、感光体ドラム１１０の最初の１回転で、発光装置１０によりイエロー（Ｙ）像のための静電潜像が書き込まれて現像器１６３Ｙにより同色の顕像が形成され、さらに中間転写ベルト１６９に転写される。また、次の１回転で、発光装置１０Ａによりシアン（Ｃ）像のための静電潜像が書き込まれて現像器１６３Ｃにより同色の顕像が形成され、イエローの顕像に重なり合うように中間転写ベルト１６９に転写される。そして、このようにして感光体ドラム１１０が４回転する間に、イエロー、シアン、マゼンタ、黒の顕像が中間転写ベルト１６９に順次に重ね合わせられ、この結果としてフルカラーの顕像が転写ベルト１６９上に形成される。最終的に画像を形成する対象としてのシートの両面に画像を形成する場合には、中間転写ベルト１６９に表面と裏面の同色の顕像を転写し、次に中間転写ベルト１６９に表面と裏面の次の色の顕像を転写する形式で、フルカラーの顕像を中間転写ベルト１６９上に形成する。
【００７８】
画像形成装置には、シートが通過させられるシート搬送路１７４が設けられている。シートは、給紙カセット１７８から、ピックアップローラ１７９によって１枚ずつ取り出され、搬送ローラによってシート搬送路１７４を進行させられ、駆動ローラ１７０ａに接した中間転写ベルト１６９と二次転写ローラ１７１の間のニップを通過する。二次転写ローラ１７１は、中間転写ベルト１６９からフルカラーの顕像を一括して静電的に吸引することにより、シートの片面に顕像を転写する。二次転写ローラ１７１は、図示しないクラッチにより中間転写ベルト１６９に接近および離間させられるようになっている。そして、シートにフルカラーの顕像を転写する時に二次転写ローラ１７１は中間転写ベルト１６９に当接させられ、中間転写ベルト１６９に顕像を重ねている間は二次転写ローラ１７１から離される。
【００７９】
以上のようにして画像が転写されたシートは定着器１７２に搬送され、定着器１７２の加熱ローラ１７２ａと加圧ローラ１７２ｂの間を通過させられることにより、シート上の顕像が定着する。定着処理後のシートは、排紙ローラ対１７６に引き込まれて矢印Ｆの向きに進行する。両面印刷の場合には、シートの大部分が排紙ローラ対１７６を通過した後、排紙ローラ対１７６が逆方向に回転させられ、矢印Ｇで示すように両面印刷用搬送路１７５に導入される。そして、二次転写ローラ１７１により顕像がシートの他面に転写され、再び定着器１７２で定着処理が行われた後、排紙ローラ対１７６でシートが排出される。
【００８０】
図１７および図１８に例示した画像形成装置は、ＯＬＥＤ素子を発光素子として採用した光源（露光手段）を利用しているので、レーザ走査光学系を用いた場合よりも装置が小型化される。なお、以上に例示した以外の電子写真方式の画像形成装置にも本発明の発光装置１０を採用することができる。例えば、中間転写ベルトを使用せずに感光体ドラムからシートに対して直接的に顕像を転写するタイプの画像形成装置や、モノクロの画像を形成する画像形成装置にも本発明に係る発光装置１０を応用することが可能である。
【００８１】
本発明に係る発光装置の用途は感光体の露光に限定されない。例えば、本発明の発光装置は、原稿などの読取対象に光を照射するライン型の光ヘッド（照明装置）としてスキャナなどの画像読取装置に採用される。この種の画像読取装置としては、スキャナ、複写機やファクシミリの読取部分、バーコードリーダ、あるいはＱＲコード（登録商標）のような二次元画像コードを読む二次元画像コードリーダがある。
【符号の説明】
【００８２】
１０……発光装置、１１……集光性レンズアレイ、１２……感光体ドラム、１３……基板、１４……被露光面、２０……制御回路、２３……データ線、Ｃ１……第１の保持容量、Ｃ２……第２の保持容量、Ｇ１……第１素子群、Ｇ２……第２素子群、ＧWR……書込信号、ＧTR……転送信号、ＧIN……リセット信号、ＧＩ１……第１露光領域、Ｉ２……第２露光領域、Ｅ……発光素子、ＳＺ……静電潜像、Td1……第１駆動トランジスタ、Td2……第２駆動トランジスタ、Ｔr_W……書込用トランジスタ、Ｔr_R……転送用トランジスタ、Ｔr_IN……リセットトランジスタ、Ｔ……対、Ｕ……ユニット、Ｖｄ……データ電位、Ｘ１……第１回路、Ｘ２……第２回路。
【図１】
2011213082.tif 000003
【図２】
2011213082.tif 000004
【図３】
2011213082.tif 000005
【図４】
2011213082.tif 000006
【図５】
2011213082.tif 000007
【図６】
2011213082.tif 000008
【図７】
2011213082.tif 000009
【図８】
2011213082.tif 000010
【図９】
2011213082.tif 000011
【図１０】
2011213082.tif 000012
【図１１】
2011213082.tif 000013
【図１２】
2011213082.tif 000014
【図１３】
2011213082.tif 000015
【図１４】
2011213082.tif 000016
【図１５】
2011213082.tif 000017
【図１６】
2011213082.tif 000018
【図１７】
2011213082.tif 000019
【図１８】
2011213082.tif 000020